(57)【要約】      （修正有）【課題】スプーンを用いて食事ができて、容器の底壁に付着した食品をスプーンで容易にすくえる食品用容器を提供する。【解決手段】食品用容器１は、底壁４とその周縁から立ち上がる周壁３とからなる。底壁４の外周に沿って下側に突出した縦断面視曲線状の凹部５を全部または一部形成し、凹部５が周壁３から延設する。周壁３にアンダーカットを形成されていないため、スプーン７を凹部５に挿入し、食品の残りかすをかき集めて、そのまま上側にすくい上げることができたり、成形金型から容器１を簡単に抜くことができる。【選択図】図１
0003169629.tif 000002
【実用新案登録請求の範囲】
【請求項１】
底壁とその周縁から立ち上がる周壁とからなる容器において、底壁の外周の全部または一部に、下側に突出した縦断面視曲線状の凹部を形成し、前記凹部が前記周壁から延設されていることを特徴とする食品用容器。
【請求項２】
底壁とその周縁から立ち上がる周壁とからなる容器において、周壁の下端の全部または一部に、外側に突出した縦断面視曲線状の凹部を形成し、前記凹部が前記底壁から延設していることを特徴とする食品用容器。
【請求項３】
前記凹部の先端の曲率半径を、スプーンの先端の曲率半径に合わせた形状であることを特徴とする請求項１または請求項２に記載の食品用容器。
【請求項４】
食品用容器で食事をするときに用いるスプーンであって、スプーンの先端の曲率半径を、前記食品用容器の前記凹部の先端の曲率半径に合わせた形状であることを特徴とするスプーン。
【考案の詳細な説明】
【技術分野】
【０００１】
本考案は、スプーンを用いて食事ができて、容器の底壁に付着した食品をスプーンで容易にすくえる食品用容器に関するものである。
【背景技術】
【０００２】
近年、スーパーマーケットやコンビニエンスストアで販売されている軽食用の米飯容器には、スプーンが用いられている。また、介護者や幼少の子供が食事をするとき、箸ではなくスプーンが用いられている。
【０００３】
下記特許文献１は、要介護者や幼児がスプーンを使用して一人で容器内の食品をすくいとって食事をすることができる低コストの食品の包装体を提供することを目的としている。そして、同文献はこの目的を達成するために、上方開口した容器本体の周壁の少なくとも一側を容器本体内方へ円弧状に屈曲形成してあり、この屈曲周壁をその外周の接線が水平方向となる位置まで延長するとともに容器本体の底部裏面には窪み部を形成してあることを特徴とする食事用補助容器を提案している。
【先行技術文献】
【特許文献】
【０００４】
【特許文献１】特開２００２−２４０８５８号公報
【考案の概要】
【考案が解決しようとする課題】
【０００５】
しかしながら、上記特許文献１の容器は、周壁の少なくとも一側を容器本体内方へ円弧状に屈曲形成されているため、周壁が外側にえぐれた状態になっています。すなわち、円弧状に屈曲形成された周壁は、アンダーカットに形成されていないため、スプーンを周壁に挿入した後にそのまま上側にすくい上げることができない。さらに、上記先行文献１の容器の場合、円弧状に屈曲形成された周壁先端の形状が、スプーンの先端の形状に合わせて形成されていないため、食品の残りかすをすくい上げることができない。
【０００６】
そこで、本考案は上記事情に鑑み、スプーンを用いて食事ができる容器に着目し、容器の底壁に付着した食品をスプーンで容易にすくえる容器を提供できるようにすることを目的とする。
【課題を解決するための手段】
【０００７】
以上の課題を解決するために、請求項１に係る考案の採った手段は、後述する実施形態の説明中で使用する符号を付して説明すると、
「底壁（４）とその周縁から立ち上がる周壁（３）とからなる容器（１）において、底壁（４）の外周の全部または一部に、下側に突出した縦断面視曲線状の凹部（５）を形成し、前記凹部（５）が前記周壁（３）から延設されていることを特徴とする食品用容器（１）。」
【０００８】
このような構成にすることにより、周壁（３）にアンダーカットを形成されていないため、スプーン（７）を凹部（５）に挿入し、食品の残りかすをかき集めて、そのまま上側にすくい上げることができたり、成形金型から容器（１）を簡単に抜くことができる。
【０００９】
また、請求項２に係る考案の採った手段は、後述する実施形態の説明中で使用する符号を付して説明すると、
「底壁（４）とその周縁から立ち上がる周壁（３）とからなる容器（１）において、周壁（３）の下端の全部または一部に、外側に突出した縦断面視曲線状の凹部（５）を形成し、前記凹部（５）が前記底壁（４）から延設していることを特徴とする食品用容器（１）。」
【００１０】
このような構成にすることにより、スプーン（７）を凹部（５）に挿入し、食品の残りかすをかき集めて、そのまま上側にすくい上げることができる。
【００１１】
また、請求項３に係る考案の採った手段は、後述する実施形態の説明中で使用する符号を付して説明すると、
「前記凹部（５）の先端（６）の曲率半径を、スプーン（７）の先端（８）の曲率半径に合わせた形状であることを特徴とする請求項１または請求項２に記載の食品用容器（１）。」
【００１２】
このような構成にすることにより、容器（１）に残った食品の残りかすを、スプーン（７）で凹部にかき集めて、容易にすくい上げることができる。
【００１３】
また、請求項４に係る考案の採った手段は、後述する実施形態の説明中で使用する符号を付して説明すると、
「食品用容器（１）で食事をするときに用いるスプーン（７）であって、スプーン（７）の先端の曲率半径を、前記食品用容器（１）の前記凹部（５）の先端の曲率半径に合わせた形状であることを特徴とするスプーン（７）。」
【００１４】
このような構成にすることにより、スプーン（７）を凹部（５）に挿入し、食品の残りかすをかき集めて、容易にすくい上げることができる。
【考案の効果】
【００１５】
本考案の食品用容器（１）は、周壁（３）にアンダーカットを形成されていないため、スプーン（７）を凹部（５）に挿入し、食品の残りかすをかき集めて、そのまま上側にすくい上げることができる。
【図面の簡単な説明】
【００１６】
【図１】本考案に係る一実施形態の食品用容器を示す平面図である。
【図２】図１の容器の縦中央断面図である。
【図３】本考案に係る他の実施形態の食品用容器を示す平面図である。
【図４】図３中のＡ−Ａ線における断面図であり、左側半分が容器の一辺中央の断面図であり、右側半分が容器の隅部の断面図である。
【図５】本考案に係る他の実施形態の食品用容器を示す平面図である。
【図６】図５の容器の縦中央断面図である。
【考案を実施するための形態】
【００１７】
次に、本考案を実施するための最良の形態を図面を参照して説明する。図１は本考案に係る一実施形態の食品用容器の平面図を示したものであり、図２は図１の容器の縦中央断面図を示したものである。この実施形態の容器は、底壁（４）とその周縁から立ち上がる周壁（３）とからなっていて、底壁（４）の外周の全部または一部に、下側に突出した縦断面視曲線状の凹部（５）を形成し、前記凹部（５）が前記周壁（３）から延設されていることを特徴とする食品用容器（１）である。
【００１８】
このような構成にすることにより、周壁（３）にアンダーカットを形成されていないため、スプーン（７）を凹部（５）に挿入し、食品の残りかすをかき集めて、そのまま上側にすくい上げることができたり、成形金型から容器（１）を簡単に抜くことができる。
【００１９】
さらに、前記凹部（５）の先端（６）の曲率半径を、スプーン（７）の先端（８）の曲率半径に合わせた形状ですると良い。
【００２０】
このような構成にすることにより、容器（１）に残った食品の残りかすを、スプーン（７）で凹部にかき集めて、容易にすくい上げることができる。
【００２１】
図３は本考案に係る他の実施形態の食品用容器の平面図を示したものであり、図４は図３中のＡ−Ａ線における断面図であり、左側半分が容器の一辺中央の断面図であり、右側半分が容器の隅部の断面図を示したものである。この実施形態の容器は、底壁（４）とその周縁から立ち上がる周壁（３）とからなっていて、周壁（３）の下端の全部または一部に、外側に突出した縦断面視曲線状の凹部（５）を形成し、前記凹部（５）が前記底壁（４）から延設していることを特徴とする食品用容器（１）である。
【００２２】
このような構成にすることにより、スプーン（７）を凹部（５）に挿入し、食品の残りかすをかき集めて、そのまま上側にすくい上げることができる。
【００２３】
さらに、前記凹部（５）の先端（６）の曲率半径を、スプーン（７）の先端（８）の曲率半径に合わせた形状ですると良い。
【００２４】
このような構成にすることにより、容器（１）に残った食品の残りかすを、スプーン（７）で凹部にかき集めて、容易にすくい上げることができる。なお、凹部（４）の上側をアンダーカットに形成した方が、さらにスプーンで食品の残りかすをかき集めることがより可能である。
【００２５】
図５は本考案に係る他の実施形態の食品用容器の平面図を示したものであり、図６は図５の容器の縦中央断面図を示したものである。この実施形態の容器は、図１乃至図４を兼ね備えた容器、すなわち請求項１と請求項２記載の容器を兼ね備えたものである。
【００２６】
このような構成にすることにより、容器（１）の底壁（４）の外周の凹部（５）、または周壁（３）の下部の凹部（５）のどちらからでも、容器（１）に残った食品の残りかすをスプーンでかき集めて、容易にすくい上げることができる。
【００２７】
本考案の食品用容器（１）において、底壁（４）の外周に沿って下側に突出した凹部（５）は、脚部として代用できる。底壁（４）の外周の一部に設けた凹部（５）とは、容器（１）を安定載置できる程度に、複数個の凹部（５）を均等配置されたものをいう。また、底壁（４）の外周の全部に設けた凹部（５）は、容器（１）を安定載置できることは言うまでもない。
【００２８】
容器（１）の平面視外形形状は、平面視円形、楕円形、四角形、六角形、八角形など特に限定しないものとする。なお、角形状の容器（１）においては、食品の残りかすをスプーンでかき集めるため、隅部に凹部（５）を形成した方が好ましい。
【００２９】
本考案の食品用容器（１）に用いる原材料は、金属、樹脂、紙など特に問わないものとする。また、容器（１）の成形方法は、原材料に合った方法であれば特に限定しない。なお、本考案の食品用容器（１）は、樹脂を押出成形してシーティングした後、真空・圧空方法等の熱成形で型成形されたものである。また、樹脂を射出成形やブロー成形で型成形されたものも含む。
【符号の説明】
【００３０】
１    容器
２    フランジ
３    周壁
４    底壁
５    凹部
６    凹部の先端
７    スプーン
８    スプーンの先端
【図１】
0003169629.tif 000003
【図２】
0003169629.tif 000004
【図３】
0003169629.tif 000005
【図４】
0003169629.tif 000006
【図５】
0003169629.tif 000007
【図６】
0003169629.tif 000008
【手続補正書】
【提出日】平成23年6月2日(2011.6.2)
【手続補正１】
【補正対象書類名】実用新案登録請求の範囲
【補正対象項目名】請求項４
【補正方法】変更
【補正の内容】
【請求項４】
食品用容器で食事をするときに用いるスプーンであって、スプーンの先端の曲率半径を、請求項１〜３に記載の食品用容器の凹部の先端の曲率半径に合わせた形状であることを特徴とするスプーン。